(57)【特許請求の範囲】
【請求項１】
走行するウエブの幅方向に沿い配置するノズルケーシングの先端縁部のリップと該ノズルケーシング内に配した中子フレームとの間に形成されたスリット状のエア吹出口を通して上記ウエブの表面へ向けエアを吹き出させるようにしてあるエア吹出ノズルにおけるリップと中子フレームとの間に形成したスリット状のエア吹出口の長手方向両端部に、該スリット状のエア吹出口内に挿入するため該エア吹出口の幅寸法に対応する厚さとした細長い板状のデッケルを、上記エア吹出口内を塞ぐようにエア吹出口の長手方向へ変位可能に挿入した構成を有することを特徴とするエア吹出ノズルのエア吹出口長手幅調整装置。
【請求項２】
走行するウエブの幅方向に沿い配置するノズルケーシングの先端部に形成したエア吹出口を通して上記ウエブの表面へ向けエアを吹き出させるようにしてあるエア吹出ノズルにおける上記ノズルケーシングの長手方向両端部に、該ノズルケーシングを仕切るように該ノズルケーシングの幅断面の形状を有し且つエア吹出口内に入り得る突起を有する遮蔽板部とエア導入口の端部領域を遮蔽する遮蔽板部からなるＬ字形状のデッケルを、上記遮蔽板部がノズルケーシング内の仕切板となるようにエア吹出口の長手方向へ変位可能に挿入した構成を有することを特徴とするエア吹出ノズルのエア吹出口長手幅調整装置。
【発明の詳細な説明】
【０００１】
【発明の属する技術分野】
本発明は製紙工場にて製造された原紙や該原紙に塗工液を塗布してなる塗工紙等のウエブにエアを吹き付けるために用いるエア吹出ノズルのエア吹出口長手幅調整装置に関するものである。
【０００２】
【従来の技術】
一例として塗工紙について説明すると、製紙工場にて製造された原紙は、そのままの形で直ちに使用されることは少なく、更に加工して所要の目的に適合する製品としての加工紙とする場合が多く、その一つに、原紙の表面に塗工液を塗布して塗工紙（塗被加工紙）とするようにしたものがある。
【０００３】
塗工紙を製造する塗工機には種々のものがあるが、たとえば、ロールコータの場合は、図３にその一例の概略を示す如く、一対のアプリケータロール１の外側にインナーゲートロール２とアウターゲートロール３を順次配置して、インナーゲートロール２とアウターゲートロール３の間に形成した液溜め内の塗工液４をインナーゲートロール２からアプリケータロール１の表面に移し、該アプリケータロール１の表面の塗工液４をウエブとしての原紙５の両面に塗布させるようにした構成としてあり、該ロールコータ６で塗工液４が塗布された後は、ロールコータ６の下流側にあるエアターン７で走行方向を変えた後、エアドライヤ８で乾燥させるようにしてある。
【０００４】
上記ロールコータ６の下流側で用いられているエアターン７は、原紙５の走行方向を非接触で変更させるようにするために、ほぼ９０°の範囲に亘って円弧状に湾曲する案内面９と、該案内面９に沿って配置した複数のエア吹出ノズル１０を有するエアヘッダ１１とを備え、原紙５を、エア吹出ノズル１０から吹き出されるエアにより案内面９との間に均一に規定されたギャップを保ちつつ案内面９に沿わせて走行させるようにしてあり、上記エアドライヤ８は、本体ケーシング１２の入口１２ａと出口１２ｂとの間に形成された原紙走行経路を上下から挟むように、多数のエア吹出ノズル１０を有するエアヘッダ１３を本体ケーシング１２内に配置して、該上下のエアヘッダ１３の各エア吹出ノズル１０から吹き出されるエア（熱風）により、原紙５の表面に塗布されている塗工液４を乾燥させるようにしてある。
【０００５】
上記エアターン７やエアドライヤ８等で用いられているエア吹出ノズル１０としては、たとえば、図４（イ）（ロ）に示す如く、原紙５の幅方向に延びるようにしたノズルケーシング１４のエア導入口１５がある基端部に、エアターン７のエアヘッダ１１やエアドライヤ８のエアヘッダ１３に取り付けるためのフランジ１６を全周に亘り設けると共に、上記ノズルケーシング１４の先端縁部に、内向きに屈曲させたリップ１７を長手方向全長に亘り形成し、且つ上記ノズルケーシング１４内の先端部に、上記リップ１７との間にスリット状のエア吹出口１８が形成されるように中子フレーム１９を固定配置し、更に、該中子フレーム１９の背面側に、エア分散板２０を設けた構成として、エア導入口１５より導入されたエア２１を、エア分散板２０で紙幅方向となる長手方向に分散してからスリット状のエア吹出口１８を通して吹き出させるようにしたものが採用されている。
【０００６】
【発明が解決しようとする課題】
ところが、上記エアターン７やエアドライヤ８で用いられているエア吹出ノズル１０の場合、エア吹出口１８の長さは原紙の最大幅に対応させた寸法としてあるため、図４（イ）に示す如く、幅の狭い原紙５が取り扱われるときは、原紙５の両幅端よりはみ出すエア吹出口１８から原紙５に当ることなくエアが吹き出されることになる。このエア吹出口１８の紙幅端からはみ出す部分より吹き出されたエア２１が原紙５をばたつかせる原因となっていると共に、エア吹出口１８の原紙に当らないで吹き出されたエア２１は余分なものであり、この余分な風を送ることに伴い、エネルギーの無駄になるという問題がある。
【０００７】
そこで、本発明は、エア吹出口の長手幅を調整できるようにして、エアの有効吹出領域をウエブの幅に合わせることができるようなエア吹出ノズルのエア吹出口長手幅調整装置を提供しようとするものである。
【０００８】
【課題を解決するための手段】
本発明は、上記課題を解決するために、走行するウエブの幅方向に沿い配置するノズルケーシングの先端縁部のリップと該ノズルケーシング内に配した中子フレームとの間に形成されたスリット状のエア吹出口を通して上記ウエブの表面へ向けエアを吹き出させるようにしてあるエア吹出ノズルにおけるリップと中子フレームとの間に形成したスリット状のエア吹出口の長手方向両端部に、該スリット状のエア吹出口内に挿入するため該エア吹出口の幅寸法に対応する厚さとした細長い板状のデッケルを、上記エア吹出口内を塞ぐようにエア吹出口の長手方向へ変位可能に挿入した構成とする。
【０００９】
デッケルの挿入位置を変化させると、エア吹出口の長手幅を調整できるようになるので、ウエブの幅に適したエアの有効吹出領域を選定することができる。
【００１０】
又、走行するウエブの幅方向に沿い配置するノズルケーシングの先端部に形成したエア吹出口を通して上記ウエブの表面へ向けエアを吹き出させるようにしてあるエア吹出ノズルにおける上記ノズルケーシングの長手方向両端部に、該ノズルケーシングを仕切るように該ノズルケーシングの幅断面の形状を有し且つエア吹出口内に入り得る突起を有する遮蔽板部とエア導入口の端部領域を遮蔽する遮蔽板部からなるＬ字形状のデッケルを、上記遮蔽板部がノズルケーシング内の仕切板となるようにエア吹出口の長手方向へ変位可能に挿入した構成としても、デッケルの位置調整により、ウエブの幅に合わせてエアの有効吹出領域を選定することができる。
【００１１】
【発明の実施の形態】
以下、本発明の実施の形態を図面を参照して説明する。
【００１２】
図１（イ）（ロ）は本発明の実施の一形態を示すもので、図４（イ）（ロ）に示したと同様に、走行するウエブとしての原紙５の幅方向に沿い配置されるノズルケーシング１４の先端縁部のリップ１７と該ノズルケーシング１４内の先端部に配した中子フレーム１９との間に形成されたスリット状のエア吹出口１８より上記原紙５の表面へ向けエア２１を吹き出させるようにしてあるエア吹出ノズル１０において、上記エア吹出口１８の長手方向両端部に、該エア吹出口１８の幅寸法に対応する厚さとした細長い板状のデッケル２２を、ノズルケーシング１４の端板部１４ａを通し長手方向へ摺動可能に挿入して位置決めできるようにする。
【００１３】
上記デッケル２２には、長手方向に沿う長孔２３を設け、一方、上記ノズルケーシング１４のリップ１７と中子フレーム１９の両端部には、長手方向へ所要のピッチ間隔でボルト孔２４を設けておき、これらボルト孔２４と長孔２３にアジャストボルト２５を通して締め込むことでデッケル２２の位置を固定できるようにしてある。
【００１４】
エア吹出ノズル１０のエア吹出口１８の長さよりも狭い幅Ｗ１の原紙５にエア２１を吹き付けるようにする場合は、図１（イ）において実線で示す如く、該原紙５の幅端の位置にデッケル２２の先端を合わせるようにしてデッケル２２の位置を固定する。この場合、アジャストボルト２５を取り外しておいた状態において、デッケル２２をエア吹出口１８へ差し込んでその差し込み量を調整し、リップ１７のボルト孔２４からデッケル２２の長孔２３を通し中子フレーム１９のボルト孔２４にアジャストボルト２５を螺着させて締め込むようにする。
【００１５】
これにより、原紙５の幅からはみ出すエア吹出口１８の両サイド部分はデッケル２２により塞がれた状態となるので、エア吹出口１８の長手幅を狭くできて、エア２１の有効吹出領域を原紙５の幅に合わせることができる。そのため、原紙５をばたつかせることなく安定して走行させることができ、又、余分にエア２１を吹き出させることがないことから、効率を向上させることができると共に、エネルギーの無駄をなくすことができる。
【００１６】
上記において、紙幅が上記Ｗ１よりも更に狭いＷ２であるような原紙５を取り扱う場合は、アジャストボルト２５を一旦弛めて、図１（イ）において二点鎖線で示す如く、デッケル２２の差し込み量を更に深くさせるようにした後、アジャストボルト２５を再度締め付けるようにすればよい。この際、デッケル２２は長孔２３の範囲で任意に変位させることができるので、取り扱う原紙５の幅に正確に合わせることができる。なお、エア吹出口１８のエア吹き出し幅と一致する幅の原紙５を取り扱う場合は、デッケル２２を抜き取り、ノズルケーシング１４の端板部１４ａに形成されているデッケル挿入孔及びリップ１７のボルト孔２４を適当な塞ぎ部材で塞ぐようにすればよい。
【００１７】
したがって、図３に示す如きエアターン７のエア吹出ノズル１０に採用することにより、原紙５を安定走行させることができ、エアドライヤ８のエア吹出ノズル１０に採用することにより、原紙５の安定した乾燥が可能となる。
【００１８】
次に、図２（イ）（ロ）は本発明の実施の他の形態を示すもので、ノズルケーシング１４の基端側のエア導入口１５より導入したエア２１を先端部のエア吹出口１８から吹き出させるようにしてあるエア吹出ノズル１０Ａにおいて、上記ノズルケーシング１４の長手方向両端部に、ノズルケーシング１４を仕切るように該ノズルケーシング１４の幅断面の形状を有し且つエア吹出口１８内に入り得る突部２６ａを有する遮蔽板部２６とエア導入口１５の端部領域を遮蔽する遮蔽板部２７とからなるＬ字形状のデッケル２８を、上記遮蔽板部２６がノズルケーシング１４内の仕切板となるようにノズルケーシング１４内に挿入して長手方向へ摺動できるようにし、且つ上記遮蔽板部２６に回転支持部材３０を介して回転自在に係止させたアジャストボルト３１の頭部側を、ノズルケーシング１４の端板部１４ａに設けた貫通孔３２を通してノズルケーシング１４外へ突出させ、該アジャストボルト３１の突出部を上記端面板１４ａに固定したナット２９に螺合させ、アジャストボルト３１を回転させてナット２９に対する締め込み位置を調整することによりデッケル２８を図２（イ）において実線や二点鎖線で示す任意の位置へ変位させて位置決めできるようにしたものである。なお、図１（イ）（ロ）と同一部分には同一符号が付してある。
【００１９】
この実施の形態においても、デッケル２８の位置を変化させることでエア吹出口１８の長手幅を調整できるので、エア２１の有効吹出領域を、原紙５の幅に合わせることができる。
【００２０】
なお、本発明は上記実施の形態にのみ限定されるものではなく、デッケル２２や２８の位置を調整する手段は図示し説明した以外の方式であってもよいこと、その他本発明の要旨を逸脱しない範囲内において種々変更を加え得ることは勿論である。
【００２１】
【発明の効果】
以上述べた如く、本発明のエア吹出ノズルのエア吹出口長手幅調整装置によれば、走行するウエブの幅方向に沿い配置するノズルケーシングの先端縁部のリップと該ノズルケーシング内に配した中子フレームとの間に形成されたスリット状のエア吹出口を通して上記ウエブの表面へ向けエアを吹き出させるようにしてあるエア吹出ノズルにおけるリップと中子フレームとの間に形成したスリット状のエア吹出口の長手方向両端部に、該スリット状のエア吹出口内に挿入するため該エア吹出口の幅寸法に対応する厚さとした細長い板状のデッケルを、上記エア吹出口内を塞ぐようにエア吹出口の長手方向へ変位可能に挿入した構成としたり、あるいは、走行するウエブの幅方向に沿い配置するノズルケーシングの先端部に形成したエア吹出口を通して上記ウエブの表面へ向けエアを吹き出させるようにしてあるエア吹出ノズルにおける上記ノズルケーシングの長手方向両端部に、該ノズルケーシングを仕切るように該ノズルケーシングの幅断面の形状を有し且つエア吹出口内に入り得る突起を有する遮蔽板部とエア導入口の端部領域を遮蔽する遮蔽板部からなるＬ字形状のデッケルを、上記遮蔽板部がノズルケーシング内の仕切板となるようにエア吹出口の長手方向へ変位可能に挿入した構成とすることにより、デッケルの位置を変化させることでエア吹出口の長手幅を調整できて、エアの有効吹出領域をウエブの幅に合わせることができるので、ウエブのばたつきを防止することができると共に、余分なエアの吹き出しをなくすことができることからエネルギーの無駄をなくすことができ、エアターンやエアドライヤに採用して極めて有利となる、という優れた効果を発揮する。
【図面の簡単な説明】
【図１】本発明のエア吹出ノズルのエア吹出口長手幅調整装置の実施の一形態を示すもので、（イ）は一部を切断して示す概略正面図、（ロ）は（イ）のＡ−Ａ方向矢視図である。
【図２】本発明の実施の他の形態を示すもので、（イ）は一部を切断して示す概略正面図、（ロ）は（イ）のＢ−Ｂ方向矢視図である。
【図３】塗工紙の製造工程の一例を示す概略図である。
【図４】塗工紙の製造工程で用いられるエア吹出ノズルの一例を示すもので、（イ）は正面図、（ロ）は（イ）のＣ−Ｃ方向矢視図である。
【符号の説明】
５  原紙（ウエブ）
１０，１０Ａ  エア吹出ノズル
１４  ノズルケーシング
１５  エア導入口
１７  リップ
１８  エア吹出口
１９  中子フレーム
２１  エア
２２，２８  デッケル
【図１】
0004569021.tif 000002
【図２】
0004569021.tif 000003
【図３】
0004569021.tif 000004
【図４】
0004569021.tif 000005